(57)【特許請求の範囲】
【請求項１】
容器の口部に装着される装着基部、及び該装着基部から立ち上がり内側に容器内に収容された内溶液の注出通路を形成するノズルを一体に有するキャップ本体と、
前記ノズルの先端の開口部を密封する密封部、及び該密封部を取り除くための把持部を一体に有する密封部材と、を備え、
前記キャップ本体及び前記密封部材をインサート成形又は二材成形により剥離可能に一体化し、
前記密封部材の一部として、前記密封部の下端に、前記ノズルの外表面に沿って該外表面に密着しつつ延びるとともに前記把持部を前記ノズルに対して離間して保持する延出部を一体に連設してなることを特徴とするノズル付きキャップ。
【請求項２】
前記密封部材を熱可塑性エラストマーで形成してなる、請求項１に記載のノズル付きキャップ。
【請求項３】
前記ノズルに、先端から下方に向けて延びる切欠きを形成するとともに、前記密封部により前記切欠きをも密封してなる、請求項１又は２に記載のノズル付きキャップ。
【請求項４】
前記ノズルは前記装着基部の天壁から立ち上がり、前記延出部は、前記天壁の上面にも密着してなる、請求項１〜３の何れか一項に記載のノズル付きキャップ。
【発明の詳細な説明】
【技術分野】
【０００１】
この発明は、容器の口部に装着されてノズルの開口部を通じて内溶液が注出されるキャップに関し、とくには、その未使用状態を視認可能とするとともに、使用に際して容易に取り外すことのできる密封部材を備えたノズル付きキャップを提供しようとするものである。
【背景技術】
【０００２】
内溶液を収納する容器、とくに、詰め替え用の内溶液を収納する詰め替え容器には、内溶液の注出を可能とするノズルが設けられており、このようなノズルは従来、特許文献１に開示されるように、ノズルの先端に、プラスチックや金属箔からなる薄いフィルム（シート）を熱溶着により固着して、容器内部を密封するとともにバージン性を付与するようにしていた。
【先行技術文献】
【特許文献】
【０００３】
【特許文献１】実開平５−７１１５２号公報
【発明の概要】
【発明が解決しようとする課題】
【０００４】
しかしながら、ノズルの開口部にフィルムを固着して未使用状態を維持する場合、フィルムの固着は、ノズルの成形とは別工程で行う必要があり、その生産性について改善の余地があった。
【０００５】
また、フィルムをノズルの開口部に固着する場合には、使用に際してフィルムを剥がさなければならないところ、フィルムの固着性が高いと剥がし難いため、改善の余地があった。上記特許文献１では、これに鑑み、詰め替えが行われるリフィル容器の口部に破断刃をもつ中栓を嵌着して、詰め替え時に詰め替え容器の口部をリフィル容器の口部に差し込むことにより、フィルムを破断するよう構成しているが、部品点数が増加しコスト高である。
【０００６】
それゆえ、この発明は、密封部材を一体に設けることができるとともに、使用に際しての取り外しの容易な、新規なノズル付きキャップを提供することを目的とする。
【課題を解決するための手段】
【０００７】
この発明は、上述の課題を解決するためになされたものであり、この発明のノズル付きキャップは、容器の口部に装着される装着基部、及び該装着基部から立ち上がり内側に容器内に収容された内溶液の注出通路を形成するノズルを一体に有するキャップ本体と、前記ノズルの先端の開口部を密封する密封部、及び前記密封部を取り除くための把持部を一体に有する密封部材と、を備え、前記キャップ本体及び前記密封部材をインサート成形又は二材成形により剥離可能に一体化し、前記密封部材の一部として、前記密封部の下端に、前記ノズルの外表面に沿って該外表面に密着しつつ延びるとともに前記把持部を前記ノズルに対して離間して保持する延出部を一体に連設してなるものである。
【０００８】
かかるノズル付きキャップにあっては、密封部材及びキャップ本体を一体成形したことから、キャップ本体の成形と同時に密封部材をノズルに接着（擬似接着）することができて生産性を向上させることができる。さらに、容器の口部にキャップ本体の装着基部を介して装着するだけで容器内部を密封することができるので、容器に対する密封部材の適用が簡単である。しかも、キャップ本体と密封部材とは剥離可能に一体化され、すなわち密封部材はキャップ本体に擬似的に接着されているに過ぎないから、把持部を摘んで引き上げるだけで密封部材をキャップ本体から引き剥がすことができ、キャップの開封を容易に行うことができる。よって、従来のように、リフィル容器にフィルムを破断するための部材を別途設ける必要もなく、安価である。
【０００９】
したがって、この発明によれば、密封部材を一体に設けることができるとともに、使用に際しての取り外しの容易な、新規なノズル付きキャップを提供することができる。
【００１０】
なお、この発明のノズル付きキャップにあっては、前記密封部材の材質を自由に選択できるが、例えば熱可塑性エラストマーで形成した場合、密封部材の弾性特性により、より容易にキャップの開封を行うことができる。
【００１１】
また、この発明のノズル付きキャップにあっては、前記ノズルに、先端から下方に向けて延びる切欠きを形成するとともに、前記密封部により前記切欠きをも密封してなることが好ましく、これによれば、上記切欠きを内容物の注出の際の空気置換口として機能させることができ、とくに、この発明のノズル付きキャップを詰め替え容器に適用し、該ノズル付きキャップを再充填されるリフィル容器（被詰め替え容器）の口部に差し込んで注出を行うような場合においても内容物の注出を円滑に行うことができる。
【００１２】
また、この発明のノズル付きキャップにあっては、前記密封部材の一部として、前記密封部の下端に、前記ノズルの外表面に沿って該外表面に密着しつつ延びるとともに前記把持部を前記ノズルに対して離間して保持する延出部を一体に連設しているため、接触面積の増大によるキャップ本体及び密封部材相互間のより良好な保持力を実現できるとともに、ノズルと把持部との間に指を入り込ませる空間を形成して把持部をより摘み易くすることができる。
【発明の効果】
【００１３】
この発明によれば、密封部材を一体に設けることができるとともに、使用に際しての取り外しの容易な、新規なノズル付きキャップを提供することができる。
【図面の簡単な説明】
【００１４】
【図１】この発明にしたがう一実施形態のノズル付きキャップを容器に適用した状態で示す斜視図である。
【図２】図１中のＡ−Ａ線に沿う断面図である。
【図３】図１のノズル付きキャップにつき、把持部を摘んで密封部材をキャップ本体から引き剥がす様子を示した斜視図である。
【発明を実施するための形態】
【００１５】
以下、この発明の実施の形態を図面に基づき詳細に説明する。ここに、図中の符号１は、ノズル付きキャップを示し、符号Ｃは、該ノズル付きキャップが装着される容器を示し、符号Ｃ１は、容器の口部を示す。また、この発明においては、ノズル付きキャップを適用する容器の種類にとくに限定はないが、詰め替え容器に有利に適用することができる。
【００１６】
図１に示すように、ノズル付きキャップ１は、容器Ｃの口部Ｃ１に装着されるキャップ本体３と、キャップ本体３に配置され、容器Ｃ内部を密閉状態に保持する密封部材５とを備える。
【００１７】
さらに、図２に詳細に示すように、キャップ本体３は、中央に容器Ｃの口部Ｃ１の開口に対応した開口部を形成し下面が容器Ｃの口部Ｃ１の突端に当接する天壁７、及び該天壁７の外周縁から垂下し容器Ｃの口部Ｃ１と係合する周壁９からなる装着基部１１と、装着基部１１の天壁７から立ち上がり内側に容器Ｃ内に収容された内容液の注出通路Ｐを形成する筒状のノズル１３とを一体に有する。この例では、装着基部１１は容器Ｃの口部Ｃ１に螺着しているが、アンダーカットのような係合リブを口部Ｃ１の外周及び周壁９の内周の双方に設けて嵌合、保持するようにしてもよい（図示省略）。なお、図２中、符号１５は、天壁７の内周縁から垂下し容器Ｃの口部Ｃ１の内周面と嵌合する嵌合筒である。
【００１８】
ノズル１３の先端は、竹やりの先端部ように傾斜して形成されており、これにより鋭角側を、内容物を注出する際に傾ける側である注出側Ｓ１とすることができる。ノズル１３の注出側Ｓ１に対向する側Ｓ２には、ノズル１３の先端（上端縁）から下方（ノズル１３先端から装着基部１１に向かう方向）に向けて延びるスリット状の切欠き１７（図３参照）が形成されている。
【００１９】
一方、密封部材５は、ノズル１３の先端の開口部及び切欠き１７内に入り込むとともに外縁部にてノズル１３に被さってこれらの開口部及び切欠き１７を密封する密封部１９と、密封部１９の下端に段差ｈを介して連設された延出部２１と、延出部２１の末端から上方に向けて延びて密封部材５をノズル１３から取り外す際に使用者が指で摘むことができる把持部２３と、を一体に有してなる。密封部１９は、ノズル１３の先端の開口部及び切欠き１７の形状に適合する形状である。図示例では、ノズル１３の開口部の形状では円形であるが、ノズル１３の開口部は矩形や三角形等とすることができ、これに合わせて密封部１９の形状も適宜変更することができる。把持部２３の外面には、滑り止めのための複数の凸部２３ａが形成されている。また、延出部２１は、ノズル１３の側壁の、ノズル１３の切欠き１７と装着基部１１との間の部分及び天壁７の上面に沿って（密着して）延びるとともに把持部２３をノズル１３から離間して保持しており、これにより、接触面積の増大によるキャップ本体３及び密封部材５相互間のより良好な保持力を実現できるとともに、ノズル１３と把持部２３との間に指を入り込ませる空間を形成して把持部２３をより摘み易くすることができる。
【００２０】
そして、キャップ本体３と密封部材５とはインサート成形又は二材成形により互いに異なる樹脂を用いて剥離可能に一体化されている。インサート成形の場合には、密封部材５に対してキャップ本体３をインサート材とすることができるが、密封部材５をインサート材としてもよい。また、二材成形の場合には、キャップ本体３を一次側、密封部材５を二次側とすることができるが、これらは逆にしてもよい。また、キャップ本体３と密封部材５とを剥離可能に一体化するには、例えば、キャップ本体３と密封部材５を相溶性の低いあるいは非相溶性の樹脂で形成することで実現できるがこれに限定されない。キャップ本体３の材料としては、ポリプロピレンや高密度ポリエチレン等の硬質樹脂を挙げることができ、密封部材５の材料としては、ポリエステル系エラストマー等の熱可塑性エラストマーを挙げることができるが、これらに限定されない。とくに、密封部材５は、キャップ本体３よりも軟質の樹脂で構成することでその引き剥がしが容易となる。なお、ここでは、キャップ本体３をポリプロピレンで形成し、密封部材５をポリエステル系エラストマーで形成している。
【００２１】
このようになるノズル付きキャップ１にあっては、密封部材５及びキャップ本体３を一体成形したことから、キャップ本体３の成形と同時に密封部材５をノズル１３に接着（擬似接着）することができて生産性を向上させることができる。さらに、容器Ｃの口部Ｃ１にキャップ本体３の装着基部１１を介して装着するだけで容器Ｃ内部を密封することができるので、容器Ｃに対する密封部材５の適用が簡単である。しかも、キャップ本体３と密封部材５とは剥離可能に一体化され、すなわち密封部材５はキャップ本体３に擬似的に接着されているに過ぎないから、図３に示すように、把持部２３を摘んで引き上げるだけで密封部材５をキャップ本体３から引き剥がすことができ、キャップ１の開封を容易に行うことができる。よって、従来のように、リフィル容器にフィルムを破断するための部材を別途設ける必要もなく、安価である。
【００２２】
また、この実施形態のノズル付きキャップによれば、密封部材５を熱可塑性エラストマーで形成していることから、密封部材５の弾性特性により、より容易にキャップの開封を行うことができる。
【００２３】
さらに、この実施形態のノズル付きキャップ１によれば、ノズル１３に、先端から下方に向けて延びる切欠き１７を形成したことから、該切欠き１７を内容物の注出の際の空気置換口として機能させることができ、とくに、このノズル付きキャップ１を詰め替え容器に適用し、該ノズル付きキャップ１を再充填されるリフィル容器（被詰め替え容器）の口部に当接させてあるいは差し込んで注出を行うような場合においても内容物の注出を円滑に行うことができる。なお、切欠き１７は、ノズル１３の先端から下方に向けて設けてあればよいので、把持部２３の位置に関係なく、どの位置に設けてもよい。
【産業上の利用可能性】
【００２４】
かくしてこの発明によれば、密封部材を一体に設けることができるとともに、使用に際しての取り外しの容易な、新規なノズル付きキャップを提供することが可能である。
【符号の説明】
【００２５】
１  ノズル付きキャップ
３  キャップ本体
５  密封部材
１１  装着基部
１３  ノズル
１９  密封部
２１  延出部
２３  把持部
【図１】
0005653778.tif 000002
【図２】
0005653778.tif 000003
【図３】
0005653778.tif 000004